(57)【特許請求の範囲】
【請求項１】
測定対象水の水質に関する情報である水質情報を取得する水質センサーであって、
発光して前記測定対象水に光を照射する発光素子と、
前記測定対象水を介して前記発光素子からの前記光を受けて、前記受けた光の強度である受光強度を検出するＮ個（Ｎは２以上、かつ、５以下の整数）の受光素子と、
前記受光素子に予め対応付けられた閾値よりも前記受光強度が大きいという閾値条件が成立するか否かの判定を、前記Ｎ個の受光素子のそれぞれについて実行する判定部と、
前記Ｎ個の受光素子を用いて得られるＮ個の前記判定の結果に基づいて、前記水質情報として前記Ｎ個の判定の結果をそれぞれ表すＮ個の二値情報を、前記Ｎ個の二値情報を記録するデータ記録装置に出力する二値情報出力部と、
を備え、
前記発光素子と前記受光素子との間の距離が、前記Ｎ個の受光素子の間で互いに異なるように、前記Ｎ個の受光素子が配置されている、
水質センサー。
【請求項２】
請求項１に記載の水質センサーであって、さらに、
前記発光素子と前記受光素子との間の前記距離が長いほど、前記閾値が大きくなるように、前記Ｎ個の受光素子のそれぞれの前記閾値を設定する閾値設定部を備える、
水質センサー。
【請求項３】
請求項１または２に記載の水質センサーであって、
前記Ｎ個の判定の結果に基づいて決まる情報であって、Ｎ＋１段階で前記水質を表す情報を、前記水質情報として前記ユーザに報知する報知部を備える、
水質センサー。
【請求項４】
排水処理装置であって、
排水の浄化処理を行う水処理部と、
請求項１から３のいずれか１項に記載の水質センサーであって、前記発光素子と前記受光素子とが、前記水処理部における水質情報の取得の対象となる水の流れる部分に配置された水質センサーと、
を備える、排水処理装置。
【請求項５】
排水処理システムであって、
互いに離れて設置されたＭ基（Ｍは２以上の整数）の排水処理装置と、
前記Ｍ基の排水処理装置のそれぞれを管理するための管理装置と、
を備え、
前記Ｍ基の排水処理装置のそれぞれは、
前記排水の浄化処理を行う水処理部と、
請求項１から３のいずれか１項に記載の水質センサーであって、前記発光素子と前記受光素子とが、前記水処理部における水質情報の取得の対象となる水の流れる部分に配置された水質センサーと、
前記二値情報出力部によって出力された前記Ｎ個の二値情報を表すデータを前記管理装置に送信する送信部と、
を備え、
前記管理装置は、
前記Ｍ基の排水処理装置のそれぞれの前記送信部によって送信された前記Ｎ個の二値情報を表すデータを受信する受信部と、
前記受信したデータを処理するデータ処理部と、
を備える、排水処理システム。
【請求項６】
請求項５に記載の排水処理システムであって、
前記データ処理部は、前記受信したデータによって表される前記Ｎ個の二値情報に基づいて決まる情報であってＮ＋１段階で前記水質を表す情報を、ユーザに報知する、
排水処理システム。
【請求項７】
請求項５または請求項６に記載の排水処理システムであって、
前記管理装置は、さらに、データを記録する記録部を備え、
前記データ処理部は、前記受信したデータによって表される前記二値情報の履歴を前記記録部に記録する、
排水処理システム。
【発明の詳細な説明】
【技術分野】
【０００１】
本発明は、水質センサー、排水処理装置、排水処理システムに関するものである。
【背景技術】
【０００２】
従来から、水質の測定に、水質センサーが利用されている。水質センサーとしては、例えば、濁度センサーやｐＨセンサーなどが知られている。このような水質センサーは、例えば、河川、湖沼、海洋における水質の測定や、生活排水や産業排水等の排水を処理する排水処理装置（例えば、浄化槽）における水質の測定に利用されている。また、水質センサーから得られた信号を処理する様々な信号処理装置（例えば、データロガー）も利用されている。
【先行技術文献】
【特許文献】
【０００３】
【特許文献１】特開２００８−４９２５０号公報
【特許文献２】特開２００９−８００７２号公報
【発明の概要】
【発明が解決しようとする課題】
【０００４】
一般的な水質センサーは、高い分解能での測定が要求される場合を想定して作られており、高性能な部品を用いて構成されている場合が多い。高性能な部品としては、例えば、広い入力範囲に亘って良好な線形性を示す検出素子（例えば、光センサー）や、広い入力範囲に亘って歪みの小さい信号処理回路（例えば、検出素子からの出力信号を増幅するアンプ）が挙げられる。その結果、水質センサーのコストが高くなる場合が多かった。また、水質測定が行われる場合としては、精密な（分解能の高い）測定結果が要求される場合に限らず、おおよその水質が特定できればよい場合もある（例えば、排水処理装置のおおよその処理状態を確認する場合）。この場合、水質センサーの性能が過剰であった。また、測定結果を表す出力信号（例えば、水質センサーからのアナログ出力信号）を処理するために、高い分解能での信号処理が可能な信号処理装置（例えば、アナログデジタル（ＡＤ）コンバーターやアナログ信号ロガー）が要求される場合があった。そのような信号処理装置の性能が過剰な場合もあり、また、そのような信号処理装置の利用に起因してコストが高くなる場合もあった。
【０００５】
本発明の主な利点は、水質に関する情報である水質情報の取得や利用を簡便に行うことができる技術を提供することである。
【課題を解決するための手段】
【０００６】
本発明は、上述の課題の少なくとも一部を解決するためになされたものであり、以下の形態又は態様として実現することが可能である。
［形態１］
測定対象水の水質に関する情報である水質情報を取得する水質センサーであって、
発光して前記測定対象水に光を照射する発光素子と、
前記測定対象水を介して前記発光素子からの前記光を受けて、前記受けた光の強度である受光強度を検出するＮ個（Ｎは２以上、かつ、５以下の整数）の受光素子と、
前記受光素子に予め対応付けられた閾値よりも前記受光強度が大きいという閾値条件が成立するか否かの判定を、前記Ｎ個の受光素子のそれぞれについて実行する判定部と、
前記Ｎ個の受光素子を用いて得られるＮ個の前記判定の結果に基づいて、前記水質情報として前記Ｎ個の判定の結果をそれぞれ表すＮ個の二値情報を、前記Ｎ個の二値情報を記録するデータ記録装置に出力する二値情報出力部と、
を備え、
前記発光素子と前記受光素子との間の距離が、前記Ｎ個の受光素子の間で互いに異なるように、前記Ｎ個の受光素子が配置されている、
水質センサー。
【０００７】
［態様１］
測定対象水の水質に関する情報である水質情報を取得する水質センサーであって、
発光して前記測定対象水に光を照射する発光素子と、
前記測定対象水を介して前記発光素子からの前記光を受けて、前記受けた光の強度である受光強度を検出する受光素子と、
予め決定された閾値よりも前記受光強度が大きいという閾値条件が成立するか否かを判定する判定部と、
前記発光素子の発光強度を、Ｎ段階（Ｎは２以上の整数）に変化させる発光制御部と、
前記Ｎ段階の発光強度のそれぞれの光が前記測定対象水に照射されることによって得られるＮ個の前記判定の結果に基づいて、前記水質情報を出力する水質情報出力部と、
を備える水質センサー。
この構成によれば、Ｎ段階の発光強度を利用して得られるＮ個の判定の結果に基づいて水質情報が出力されるので、高分解能な測定を行う場合と比べて、簡便に水質情報を取得できる。
【０００８】
［態様２］
測定対象水の水質に関する情報である水質情報を取得する水質センサーであって、
発光して前記測定対象水に光を照射する発光素子と、
前記測定対象水を介して前記発光素子からの前記光を受けて、前記受けた光の強度である受光強度を検出するＮ個（Ｎは２以上の整数）の受光素子と、
前記受光素子に予め対応付けられた閾値よりも前記受光強度が大きいという閾値条件が成立するか否かの判定を、前記Ｎ個の受光素子のそれぞれについて実行する判定部と、
前記Ｎ個の受光素子を用いて得られるＮ個の前記判定の結果に基づいて、前記水質情報を出力する水質情報出力部と、
を備え、
前記発光素子と前記受光素子との間の距離が、前記Ｎ個の受光素子の間で互いに異なるように、前記Ｎ個の受光素子が配置されている、
水質センサー。
この構成によれば、発光素子までの距離が互いに異なるＮ個の受光素子を利用して得られるＮ個の判定の結果に基づいて水質情報が出力されるので、高分解能な測定を行う場合と比べて、簡便に水質情報を取得できる。
【０００９】
［態様３］
態様２に記載の水質センサーであって、さらに、
前記発光素子と前記受光素子との間の前記距離が長いほど、前記閾値が大きくなるように、前記Ｎ個の受光素子のそれぞれの前記閾値を設定する閾値設定部を備える、
水質センサー。
この構成によれば、距離が長いほど閾値が大きいので、Ｎ個の判定によってカバーされる水質のレンジを広げることができる。
【００１０】
［態様４］
測定対象水の水質に関する情報である水質情報を取得する水質センサーであって、
発光して前記測定対象水に光を照射する発光素子と、前記測定対象水を介して前記発光素子からの前記光を受けて前記受けた光の強度である受光強度を検出する受光素子とのＮ組（Ｎは２以上の整数）のペアと、
前記受光素子に予め対応付けられた閾値よりも前記受光強度が大きいという閾値条件が成立するか否かの判定を、前記Ｎ個の受光素子のそれぞれについて実行する判定部と、
前記発光素子の発光強度が前記Ｎ個の発光素子の間で互いに異なるように、前記Ｎ個の発光素子のそれぞれの発光強度を設定する発光制御部と、
前記Ｎ組のペアを用いて得られるＮ個の前記判定の結果に基づいて、前記水質情報を出力する水質情報出力部と、
を備える水質センサー。
この構成によれば、発光強度が互いに異なるＮ組のペアを用いて得られるＮ個の判定の結果に基づいて水質情報が出力されるので、高分解能な測定を行う場合と比べて、簡便に水質情報を取得できる。
【００１１】
［態様５］
測定対象水の水質に関する情報である水質情報を取得する水質センサーであって、
発光して前記測定対象水に光を照射する発光素子と、前記測定対象水を介して前記発光素子からの前記光を受けて前記受けた光の強度である受光強度を検出する受光素子とのＮ組（Ｎは２以上の整数）のペアと、
前記受光素子に対応付けられた閾値よりも前記受光強度が大きいという閾値条件が成立するか否かの判定を、前記Ｎ個の受光素子のそれぞれについて実行する判定部と、
前記閾値が前記Ｎ個の受光素子の間で互いに異なるように、前記Ｎ個の受光素子のそれぞれの前記閾値を設定する閾値設定部と、
前記Ｎ組のペアを用いて得られるＮ個の前記判定の結果に基づいて、前記水質情報を出力する水質情報出力部と、
を備える水質センサー。
この構成によれば、閾値が互いに異なるＮ組のペアを用いて得られるＮ個の判定の結果に基づいて水質情報が出力されるので、高分解能な測定を行う場合と比べて、簡便に水質情報を取得できる。
【００１２】
［態様６］
測定対象水の水質に関する情報である水質情報を取得する水質センサーであって、
発光して前記測定対象水に光を照射するＮ個（Ｎは２以上の整数）の発光素子と、
前記測定対象水を介して前記発光素子からの前記光を受けて、前記受けた光の強度である受光強度を検出する受光素子と、
予め決定された閾値よりも前記受光強度が大きいという閾値条件が成立するか否かを判定する判定部と、
前記発光素子の発光強度が前記Ｎ個の発光素子の間で互いに異なるように、前記Ｎ個の発光素子のそれぞれの発光強度を設定する発光制御部と、
前記Ｎ個の発光素子のそれぞれを用いて得られるＮ個の前記判定の結果に基づいて、前記水質情報を出力する水質情報出力部と、
を備える水質センサー。
この構成によれば、発光強度が互いに異なるＮ個の発光素子のそれぞれを用いて得られるＮ個の判定の結果に基づいて水質情報が出力されるので、高分解能な測定を行う場合と比べて、簡便に水質情報を取得できる。
【００１３】
［態様７］
測定対象水の水質に関する情報である水質情報を取得する水質センサーであって、
発光して前記測定対象水に光を照射するＮ個（Ｎは２以上の整数）の発光素子と、
前記測定対象水を介して前記発光素子からの前記光を受けて、前記受けた光の強度である受光強度を検出する受光素子と、
予め決定された閾値よりも前記受光強度が大きいという閾値条件が成立するか否かを判定する判定部と、
前記Ｎ個の発光素子を用いて得られるＮ個の前記判定の結果に基づいて、前記水質情報を出力する水質情報出力部と、
を備え、
前記発光素子と前記受光素子との間の距離が、前記Ｎ個の発光素子の間で互いに異なるように、前記Ｎ個の発光素子が配置されている、
水質センサー。
この構成によれば、受光素子までの距離が互いに異なるＮ個の発光素子を用いて得られるＮ個の判定の結果に基づいて水質情報が出力されるので、高分解能な測定を行う場合と比べて、簡便に水質情報を取得できる。
【００１４】
［態様８］
態様７に記載の水質センサーであって、さらに、
前記発光素子と前記受光素子との間の前記距離が長いほど、前記発光素子の前記発光強度が小さくなるように、前記Ｎ個の発光素子のそれぞれの発光強度を設定する発光制御部を備える、
水質センサー。
この構成によれば、距離が長いほど発光強度が小さいので、Ｎ個の判定によってカバーされる水質のレンジを広げることができる。
【００１５】
［態様９］
測定対象水の水質に関する情報である水質情報を取得する水質センサーであって、
発光して前記測定対象水に光を照射する発光素子と、
前記測定対象水を介して前記発光素子からの前記光を受けて、前記受けた光の強度である受光強度を検出するＮ個（Ｎは２以上の整数）の受光素子と、
前記受光素子に予め対応付けられた閾値よりも前記受光強度が大きいという閾値条件が成立するか否かの判定を、前記Ｎ個の受光素子のそれぞれについて実行する判定部と、
前記閾値が前記Ｎ個の受光素子の間で互いに異なるように、前記Ｎ個の受光素子のそれぞれの前記閾値を設定する閾値設定部と、
前記Ｎ個の受光素子を用いて得られるＮ個の前記判定の結果に基づいて、前記水質情報を出力する水質情報出力部と、
を備える水質センサー。
この構成によれば、閾値が互いに異なるＮ個の受光素子を用いて得られるＮ個の判定の結果に基づいて水質情報が出力されるので、高分解能な測定を行う場合と比べて、簡便に水質情報を取得できる。
【００１６】
［態様１０］
測定対象水の水質に関する情報である水質情報を取得する水質センサーであって、
発光して前記測定対象水に光を照射する発光素子と、前記測定対象水を介して前記発光素子からの前記光を受けて前記受けた光の強度である受光強度を検出する受光素子とのＮ組（Ｎは２以上の整数）のペアと、
前記受光素子に予め対応付けられた閾値よりも前記受光強度が大きいという閾値条件が成立するか否かの判定を、前記Ｎ個の受光素子のそれぞれについて実行する判定部と、
前記Ｎ組のペアを用いて得られるＮ個の前記判定の結果に基づいて、前記水質情報を出力する水質情報出力部と、
を備え、
前記発光素子と前記受光素子との間の距離が、前記Ｎ組のペアの間で互いに異なるように、前記Ｎ組のそれぞれのペアの前記発光素子と前記受光素子とが配置されている、
水質センサー。
この構成によれば、発光素子と受光素子との間の距離が互いに異なるＮ組のペアを用いて得られるＮ個の判定の結果に基づいて水質情報が出力されるので、高分解能な測定を行う場合と比べて、簡便に水質情報を取得できる。
【００１７】
［態様１１］
態様１０に記載の水質センサーであって、さらに、
前記発光素子と前記受光素子との間の前記距離が長いほど、前記発光素子の前記発光強度が小さくなるように、前記Ｎ個の発光素子のそれぞれの発光強度を設定する発光制御部を備える、
水質センサー。
この構成によれば、距離が長いほど発光強度が小さいので、Ｎ個の判定によってカバーされる水質のレンジを広げることができる。
【００１８】
［態様１２］
態様１０または態様１１に記載の水質センサーであって、さらに、
前記発光素子と前記受光素子との間の前記距離が長いほど、前記閾値が大きくなるように、前記Ｎ個の受光素子のそれぞれの前記閾値を設定する閾値設定部を備える、
水質センサー。
この構成によれば、距離が長いほど閾値が大きいので、Ｎ個の判定によってカバーされる水質のレンジを広げることができる。
【００１９】
［態様１３］
測定対象水の水質に関する情報である水質情報を取得する水質センサーであって、
発光して前記測定対象水に光を照射する発光素子と、
前記測定対象水を介して前記発光素子からの前記光を受けて、前記受けた光の強度である受光強度を検出する受光素子と、
閾値よりも前記受光強度が大きいという閾値条件が成立するか否かを判定する判定部と、
前記閾値を、Ｎ段階（Ｎは２以上の整数）に変化させる閾値設定部と、
前記Ｎ段階の閾値のそれぞれを利用することによって得られるＮ個の前記判定の結果に基づいて、前記水質情報を出力する水質情報出力部と、
を備える、水質センサー。
この構成によれば、Ｎ段階の閾値のそれぞれを利用することによって得られるＮ個の判定の結果に基づいて水質情報が出力されるので、高分解能な測定を行う場合と比べて、簡便に水質情報を取得できる。
【００２０】
［態様１４］
測定対象水の水質に関する情報である水質情報を取得する水質センサーであって、
発光して前記測定対象水に光を照射する発光素子と、
前記測定対象水を介して前記発光素子からの前記光を受けて、前記受けた光の強度である受光強度を検出する受光素子と、
予め決定された閾値よりも前記受光強度が大きいという閾値条件が成立するか否かを判定する判定部と、
前記Ｎ個（Ｎは１）の判定の結果に基づいて、前記水質情報を出力する水質情報出力部と、
を備える水質センサー。
この構成によれば、予め決定された閾値よりも受光強度が大きいという閾値条件が成立するか否かの判定の結果に基づいて水質情報が出力されるので、高分解能な測定を行う場合と比べて、簡便に水質情報を取得できる。
【００２１】
［態様１５］
態様１ないし態様１４のいずれかに記載の水質センサーであって、
前記水質情報出力部は、前記前記水質情報として前記Ｎ個の判定の結果をそれぞれ表すＮ個の二値情報を出力する二値情報出力部を含む、
水質センサー。
この構成によれば、二値情報を処理可能な処理装置を利用して水質情報を処理できるので、簡便に水質情報を利用することができる。
【００２２】
［態様１６］
態様１ないし態様１５のいずれかに記載の水質センサーであって、
前記水質情報出力部は、前記水質情報のユーザに対する報知を、前記水質情報の前記出力として実行する報知部を含み、
前記報知部は、前記Ｎ個の判定の結果に基づいて決まる情報であって、Ｎ＋１段階で前記水質を表す情報を、前記水質情報として前記ユーザに報知する、
水質センサー。
この構成によれば、ユーザは、報知された水質情報によって、Ｎ＋１段階で表された水質を容易に確認できるので、水質情報を簡便に利用することができる。
【００２３】
［態様１７］
排水処理装置であって、
排水の浄化処理を行う水処理部と、
態様１ないし態様１６のいずれかに記載の水質センサーであって、前記発光素子と前記受光素子とが、前記水処理部における水質情報の取得の対象となる水の流れる部分に配置された水質センサーと、
を備える、排水処理装置。
この構成によれば、水処理部における対象の水の水質に関する水質情報を簡便に取得することができる。
【００２４】
［態様１８］
排水処理システムであって、
互いに離れて設置されたＭ基（Ｍは２以上の整数）の排水処理装置と、
前記Ｍ基の排水処理装置のそれぞれを管理するための管理装置と、
を備え、
前記Ｍ基の排水処理装置のそれぞれは、
前記排水の浄化処理を行う水処理部と、
態様１５に記載の水質センサーであって、前記発光素子と前記受光素子とが、前記水処理部における水質情報の取得の対象となる水の流れる部分に配置された水質センサーと、
前記二値情報出力部によって出力された前記Ｎ個の二値情報を表すデータを前記管理装置に送信する送信部と、
を備え、
前記管理装置は、
前記Ｍ基の排水処理装置のそれぞれの前記送信部によって送信された前記Ｎ個の二値情報を表すデータを受信する受信部と、
前記受信したデータを処理するデータ処理部と、
を備える、排水処理システム。
この構成によれば、複数（Ｍ基）の排水処理装置における水質に関する水質情報を簡便に取得することができる。また、管理装置は、水質情報としてＮ個の二値情報を受信するので、水質情報が高い分解能で表される場合と比べて、管理装置に要求される処理能力を高くせずに済む。その結果、簡便に水質情報を利用することができる。
【００２５】
［態様１９］
態様１８に記載の排水処理システムであって、
前記データ処理部は、前記受信したデータによって表される前記Ｎ個の二値情報に基づいて決まる情報であってＮ＋１段階で前記水質を表す情報を、ユーザに報知する、
排水処理システム。
この構成によれば、ユーザは、報知された水質情報によって、Ｎ＋１段階で表された水質を容易に確認できるので、排水処理装置の数が多い場合であっても、それぞれの排水処理装置における水質を簡便に把握することができる。
【００２６】
［態様２０］
態様１８または態様１９に記載の排水処理システムであって、
前記管理装置は、さらに、データを記録する記録部を備え、
前記データ処理部は、前記受信したデータによって表される前記二値情報の履歴を前記記録部に記録する、
排水処理システム。
この構成によれば、水質の変化の履歴を利用した排水処理装置の管理を簡便に行うことができる。
【００２７】
なお、本発明は、種々の形態で実現することが可能であり、例えば、水質に関する情報である水質情報を取得する水質センサー、水質に関する情報である水質情報を取得する方法、その水質センサーを有する排水処理装置、複数の排水処理装置と管理装置とを有する排水処理システム、等の形態で実現することができる。
【図面の簡単な説明】
【００２８】
【図１】本発明の一実施例としての水質センサーを示す説明図である。
【図２】水質センサー３００の構成を示すブロック図である。
【図３】３つの判定結果と水質との関係を示す表である。
【図４】水質に応じた表示パネル２８０の状態を示す説明図である。
【図５】水質センサー３００を有する排水処理装置の一例を示す説明図である。
【図６】沈殿槽８１６におけるセンサーユニット１００の配置を示す説明図である。
【図７】水質情報の取得を示すタイミングチャートである。
【図８】排水処理装置９００（図５、図６）を利用した広域水質管理システム１１００の説明図である。
【図９】水質センサーの別の実施例を示す説明図である。
【図１０】図３と同様の３つの判定結果と水質との関係を示す表である。
【図１１】水質情報の取得を示すタイミングチャートである。
【図１２】水質センサーの別の実施例を示す説明図である。
【図１３】水質センサーの別の実施例を示す説明図である。
【図１４】図１０と同様の３つの判定結果と水質との関係を示す表である。
【図１５】水質センサーの別の実施例を示す説明図である。
【図１６】水質センサーの別の実施例を示す説明図である。
【発明を実施するための形態】
【００２９】
次に、この発明の実施の形態を第１〜第７実施例と変形例とに基づいて説明する。
【００３０】
Ａ．第１実施例：
図１は、本発明の一実施例としての水質センサーを示す説明図である。水質センサー３００は、水質に関する情報（以下「水質情報」と呼ぶ）を取得するセンサーである。水質センサー３００は、棒状のセンサーユニット１００と、センサーユニット１００の一端にケーブル１２を介して接続された制御部２００とを有している。センサーユニット１００の他端には、凹部１２０が形成されている。凹部１２０の内面は、第１壁１２２と、第１壁１２２と対向する第２壁１２４とを有している。これらの壁１２２、１２４は、センサーユニット１００の側面まで延びていて、凹部１２０は、センサーユニット１００の側面から見て貫通している。第１壁１２２には発光素子１３０が設けられ、第２壁１２４における発光素子１３０と対向する位置には、受光素子１４０が設けられている。一方、制御部２００は、端子パネル２６０と、表示パネル２８０とを有している。端子パネル２６０には、３組の端子対２６１〜２６３が設けられている。表示パネル２８０には、３つのランプ２８１〜２８３（例えば、発光ダイオード）が設けられている。
【００３１】
図２は、水質センサー３００の構成を示すブロック図である。測定対象水１０の水質情報を取得するために、センサーユニット１００（特に凹部１２０）は、測定対象水１０に浸漬される。これにより、凹部１２０には、測定対象水１０が導入される。この状態で、発光素子１３０が発光する。発光素子１３０からの光は、測定対象水１０を通って減衰し、そして、減衰した光が受光素子１４０に入射する。光の減衰の原因としては、測定対象水１０による光の吸収や散乱等がある。測定対象水１０には、水質低下の原因となる種々の成分が含まれ得る（例えば、有機物、窒素化合物（アンモニア性窒素、亜硝酸性窒素、硝酸性窒素等）、リン化合物等）。そのような成分の濃度が高いほど、光の減衰は強くなる。従って、発光素子１３０から発せられる光の強度（以下「発光強度ＥＩ」と呼ぶ）に対して、受光素子１４０が受ける光の強度（以下「受光強度ＲＩ」と呼ぶ）が小さいほど、水質が悪いということができる（換言すれば、測定対象水１０の透過率が高いほど、水質が良いということができる）。なお、光の強度としては、単位時間、単位面積当たりのエネルギー量(例えば、Ｗ／ｃｍ２)を採用すればよい。
【００３２】
減衰の強さ（透過率）は、光の波長に依存して変化し得る。そして、その波長依存性は、測定対象水１０に含まれる成分に応じて、異なる。例えば、測定対象水１０に硝酸イオンが含まれている場合には、硝酸イオンの濃度が高いほど、紫外光（例えば、波長が２２０ｎｍの光）が吸収され、減衰が強い（透過率が低い）ことが知られている。また、測定対象水１０に含まれるＳＳ（浮遊物質）や有機物に起因するＢＯＤ（生物化学的酸素要求量）が高いほど、近赤外光（例えば、波長が７００〜１０００ｎｍの光）の減衰が強いことが知られている。本実施例では、発光素子１３０として、近赤外光を発光する発光ダイオードを採用し、受光素子１４０として、近赤外光の強度を検出可能なフォトダイオードを採用している。これにより、測定対象水１０のＢＯＤに関する水質情報（光の減衰の強さ）を取得することができる。
【００３３】
水質情報によって表される水質の項目としては、ＢＯＤ、硝酸イオン濃度に限らず、濁度、透視度、ＳＳ（浮遊物質）の量、などの種々の項目を採用可能である。そして、減衰の強さの検出に利用される光の波長は、水質の項目に応じて、予め実験的に決定すればよい。いずれの場合も、水質の項目に適した波長の光を利用するための構成としては、種々の構成を採用可能である。例えば、適した波長の光を選択的に発光する発光素子を利用してもよく、適した波長の光の強度を選択的に検出する受光素子を利用してもよく、発光素子と受光素子との間に、適した波長の光を選択的に透過するフィルタを配置してもよい。また、発光素子としては、発光ダイオードに限らず、種々の発光素子（例えば、放電ランプ）を採用可能である。受光素子としては、フォトダイオードに限らず、受けた光の強度を検出可能な種々の受光素子（例えば、フォトレジスタやフォトトランジスタ）を採用可能である。
【００３４】
制御部２００は、発光制御部２１０と、判定部２２０と、水質情報出力部２３０と、端子パネル２６０と、表示パネル２８０と、操作パネル２９０と、を有している。本実施例では、制御部２００の処理部２１０、２２０、２３０は、それぞれ、専用の電子回路を用いて構成されている。
【００３５】
操作パネル２９０は、ユーザが操作するための図示しない操作手段（例えば、スイッチやボタン）を有している。制御部２００の各要素２１０、２２０、２３０は、操作パネル２９０に入力されたユーザの指示に従って、種々の処理を実行する。
【００３６】
発光制御部２１０は、発光素子１３０に電力を供給して発光素子１３０を発光させる電源回路である。また、発光制御部２１０は、発光素子１３０の発光強度ＥＩを制御する。発光強度ＥＩを制御するための構成としては、発光素子１３０に適した任意の構成を採用可能である。例えば、発光素子１３０を流れる電流に応じて発光強度ＥＩが決まる場合には、電流を制御可能な電源回路を採用すればよい。
【００３７】
判定部２２０は、受光素子１４０によって検出された受光強度ＲＩが閾値よりも大きいという閾値条件が成立するか否かを判定する回路である。判定のための回路の構成としては、受光素子１４０に適した任意の構成を採用可能である。例えば、受光強度ＲＩに応じて受光素子１４０を流れる電流が決まる場合には、受光素子１４０を流れる電流に応じた電圧を取得する回路と、その電圧と基準電圧（受光強度ＲＩの閾値に相当する電圧）とを比較するコンパレーター回路とを採用可能である。受光強度ＲＩに応じて受光素子１４０の抵抗値が決まる場合には、受光素子１４０の抵抗値に応じた電圧を取得する回路と、その電圧と基準電圧とを比較するコンパレーター回路とを採用可能である。
【００３８】
なお、本実施例では、発光制御部２１０は、発光強度ＥＩを、予め決定された第１レベルＬＶ１（弱）、第２レベルＬＶ２（中）、第３レベルＬＶ３（強）の３段階に変化させる。そして、判定部２２０は、３段階の発光強度ＬＶ１、ＬＶ２、ＬＶ３のそれぞれに関して、予め決定された閾値を利用した判定を行う。すなわち、本実施例では、１回の水質情報の取得のために、３つの判定が行われる。
【００３９】
図３は、３つの判定結果と水質との関係を示す表である。図中では、判定結果は、「○」と「×」とのいずれかで表されている。「○」は、閾値条件が成立したこと（受光強度ＲＩが閾値より大きいこと）を示し、「×」は、閾値条件が成立しなかったこと（受光強度ＲＩが閾値以下であること）を示している。本実施例では、同じ閾値が３つの判定に共通に用いられるので、測定対象水１０の水質が良いほど、「○」の判定結果を得ることが可能な最小発光強度が小さくなる。従って、３つの判定結果は、４段階で水質の概略を表すことになる。具体的には、「○」の判定結果の総数（０〜３の４段階）が多いほど、水質が良い、ということができる。換言すれば、「○」の判定結果が得られた発光強度ＥＩのうちの最も弱い発光強度が、４段階で水質を表している、と言うこともできる（図３では、２重線で示されている）。全ての判定結果が「×」である場合には、水質が最も悪いと評価される。また、「×」の判定結果が得られた発光強度ＥＩのうちの最も強い発光強度が、４段階で水質を表している、と言うこともできる（図３では、３重線で示されている）。全ての判定結果が「○」である場合には、水質が最も良いと評価される。図３では、水質が、「良好」、「普通」、「要注意」、「悪い」の４段階に分類されている。
【００４０】
なお、３段階の発光強度ＬＶ１、ＬＶ２、ＬＶ３は、４段階の水質の評価が、水質の基準値（例えば、ＢＯＤ＝２０ｍｇ／Ｌ）よりも良い水質評価と、基準値よりも悪い水質評価とを含むように、予め実験的に決定すればよい。例えば、第１レベルＬＶ１がＢＯＤ＝１０ｍｇ／Ｌに相当し、第２レベルＬＶ２がＢＯＤ＝２０ｍｇ／Ｌに相当し、第３レベルＬＶ３がＢＯＤ＝４０ｍｇ／Ｌに相当するように、各レベルＬＶ１〜ＬＶ３を決定してもよい。この場合には、第３レベルＬＶ３および第２レベルＬＶ２での判定結果が「○」である場合には、水質がＢＯＤの基準値を満たしていると判断できる（なお、第３レベルＬＶ３での判定結果を参照せずに、第２レベルＬＶ２での判定結果が「○」である場合には、水質がＢＯＤの基準値を満たしていると判断してもよい）。第２レベルＬＶ２での判定結果が「×」である場合には、水質がＢＯＤの基準値よりも低いと判断できる。
【００４１】
制御部２００（図２）の水質情報出力部２３０は、３つの判定結果に基づいて、水質情報を出力する回路である。本実施例では、水質情報出力部２３０は、二値情報出力部２４０と、報知部２７０と、を有している。
【００４２】
二値情報出力部２４０は、３つのスイッチ２５１、２５２、２５３を有している。これらのスイッチ２５１、２５２、２５３のそれぞれは、いわゆる接点出力を形成する。二値情報出力部２４０は、３つ発光強度ＬＶ１、ＬＶ２、ＬＶ３の判定結果を表すように、３つのスイッチ２５１、２５２、２５３を、それぞれ制御する。本実施例では、スイッチのオン（接点のクローズ）が、閾値条件の成立を表す。ただし、スイッチのオフ（接点のオープン）が閾値条件の成立を表してもよい。スイッチ２５１、２５２、２５３は、端子対２６１、２６２、２６３に、それぞれ接続されている。二値情報出力部２４０は、端子対２６１、２６２、２６３を通じて、外部装置（例えば、データロガー）に、３つの判定結果を表す情報（接点のオープン／クローズ）を出力する。３つの接点出力によって出力される情報は、「水質情報」に相当する。
【００４３】
報知部２７０には、３つのランプ２８１、２８２、２８３が接続されている。報知部２７０は、３つの発光強度ＬＶ１、ＬＶ２、ＬＶ３の判定結果を表すように、３つのランプ２８１、２８２、２８３のそれぞれの点灯状態を制御する。本実施例では、ランプ点灯が、閾値条件の成立を表す。ただし、ランプ消灯が、閾値条件の成立を表してもよい。
【００４４】
図４は、水質に応じた表示パネル２８０の状態を示す説明図である。図中には、４段階の水質（「良好」、「普通」、「要注意」、「悪い」）のそれぞれに対応する表示パネル２８０の状態２８０Ａ、２８０Ｂ、２８０Ｃ、２８０Ｄが示されている。図中のハッチングが付されたランプ２８１〜２８３は、「消灯」を示し、ハッチングの無いランプ２８１〜２８３は、「点灯」を示している。ユーザは、３つのランプ２８１〜２８３の点灯状態（例えば、点灯しているランプの総数）を観察するだけで、簡便に水質を確認することができる。特に、水質項目の値の細かい表示（例えば、アナログメータの目盛りや、桁数の多い数値）を読み取らずに済むので、水質の概要の確認が容易である。
【００４５】
図５は、水質センサー３００を有する排水処理装置の一例を示す説明図である。本実施例では、排水処理装置９００は、水処理槽８００と、水質センサー３００（センサーユニット１００と制御部２００）と、制御部２００に接続されたデータロガー４００と、を有している。この排水処理装置９００では、水質センサー３００が常設されて、継続的に水質情報が取得される。
【００４６】
水処理槽８００は、一般家庭等からの排水の浄化処理を行う装置である（このような装置は「浄化槽」とも呼ばれる）。水処理槽８００は、複数のステップを経て浄化処理を行うために、複数の水処理領域（「水処理機構」とも呼ぶ）を有している。図５の実施例では、水処理槽８００は、上流（図５の左側）から順番に、夾雑物除去槽８１０、嫌気濾床槽８１２、接触曝気槽８１４、沈殿槽８１６、消毒槽８１８の各水処理領域を、収容している。水処理槽８００に流入した排水は、夾雑物除去槽８１０、嫌気濾床槽８１２、接触曝気槽８１４、沈殿槽８１６、消毒槽８１８で順次処理された後に、水処理槽８００の外部に放流される。以下、各水処理領域を流れる水を「被処理水」あるいは、単に「水」と呼ぶ。
【００４７】
夾雑物除去槽８１０は、排水中の夾雑物を被処理水から分離する水処理領域である。流入口８０２からの排水は、まず、夾雑物除去槽８１０に流入する。夾雑物除去槽８１０は、流入バッフル（図示省略）等の固液分離手段を有しており、排水中の夾雑物を被処理水から分離する。夾雑物が分離（除去）されたあとの水は、嫌気濾床槽８１２に移流する。
【００４８】
嫌気濾床槽８１２は、嫌気性微生物による嫌気処理を行う水処理領域である。嫌気濾床槽８１２は、嫌気性微生物が付着するための濾材（図示省略）を有している。嫌気処理によって、被処理水中の有機物が分解される。また、濾材は、被処理水中の浮遊物を捕捉し得る。嫌気濾床槽８１２で処理された水は、接触曝気槽８１４に移流する。
【００４９】
接触曝気槽８１４は、好気性微生物による好気処理を行う水処理領域である。接触曝気槽８１４は、好気性微生物が付着するための接触材（図示省略）を有している。また、接触曝気槽８１４には、図示しないブロワー（送風機）によって、空気が供給される。好気性微生物は、空気に含まれる酸素を利用して、被処理水中の有機物を分解する。接触曝気槽８１４で処理された水は、沈殿槽８１６に移流する。なお、接触曝気槽８１４で処理された水の一部を、夾雑物除去槽８１０に移送（循環）してもよい。こうすれば、接触曝気槽８１４に存在する浮遊物質（例えば、汚泥）を、夾雑物除去槽８１０に移送することができる。
【００５０】
沈殿槽８１６は、接触曝気槽８１４から移流した水を一時的に滞留させて、水中の浮遊物質を沈殿・分離する水処理領域である。沈殿槽８１６で処理された水は、消毒槽８１８に移流する。
【００５１】
消毒槽８１８は、被処理水を消毒する水処理領域である。消毒槽８１８は、消毒剤（例えば、固形塩素剤）が充填された薬剤筒を有している（図示省略）。消毒槽８１８において、被処理水は消毒剤と接触し、消毒剤によって被処理水が消毒される。消毒された水は、流出口８０４を通じて、水処理槽８００の外部へ放流される。
【００５２】
本実施例では、沈殿槽８１６に、センサーユニット１００が配置されている。また、制御部２００には、データロガー４００が接続されている。データロガー４００は、沈殿槽８１６における被処理水の水質（すなわち、接触曝気槽８１４によって処理された後の水の水質）を記録する。
【００５３】
図６は、沈殿槽８１６におけるセンサーユニット１００の配置を示す説明図である。図中には、沈殿槽８１６と消毒槽８１８とが示されている。センサーユニット１００は、沈殿槽８１６と他の水処理領域との間を仕切る仕切り板８１６ａに、沈殿槽８１６の被処理水中に浸漬した状態で、固定されている。接触曝気槽８１４からの水は、仕切り板８１６ａの下部に形成された開口（図示省略）を通じて、沈殿槽８１６に移流する。また、沈殿槽８１６の上部の下流側（図６の右側）には、消毒槽８１８が配置されている。沈殿槽８１６からの水は、消毒槽８１８の壁８１８ａに形成された開口（図示省略）を通じて、消毒槽８１８に移流する。
【００５４】
図６には、さらに、制御部２００の構成の一部と、データロガー４００の構成とが示されている。上述したように、制御部２００の二値情報出力部２４０は、端子対２６１〜２６３を通じて、３つの判定結果を表す情報（接点のオープン／クローズ）を出力する。
【００５５】
データロガー４００は、データ処理部４１０と、記録装置４２０と、表示装置４３０と操作パネル４４０と、端子パネル４６０と、を有している。データ処理部４１０は、種々のデータ処理を行うコンピュータである。記録装置４２０は、データを記録する不揮発性の記録装置である（例えば、フラッシュメモリー等の半導体メモリーやハードディスクドライブ）。表示装置４３０は、情報を表示する装置である（本実施例では、液晶ディスプレイ）。操作パネル４４０は、ユーザが操作するための図示しない操作手段を有している。端子パネル４６０には、３組の端子対４６１〜４６３が設けられている。３つの端子対４６１〜４６３は、制御部２００の３つの端子対２６１〜２６３に、それぞれ接続されている。
【００５６】
データ処理部４１０は、操作パネル４４０に入力されたユーザの指示に従って、種々処理を実行する。例えば、データ処理部４１０は、端子対４６１〜４６３の状態（接点のオープン／クローズ）と、それらの状態を取得した日時とを表すデータを、継続的に記録装置４２０に記録する。そして、ユーザの指示に従って、データ処理部４１０は、記録装置４２０に記録されたデータを表示装置４３０に表示する。
【００５７】
図７は、水質情報の取得を示すタイミングチャートである。図７の実施例では、水質センサー３００（図２）は、１時間毎に水質情報を取得している。１回の取得においては、発光制御部２１０は、３つの発光強度ＬＶ１、ＬＶ２、ＬＶ３のそれぞれでの第１所定時間（例えば、５秒間）の発光を、第２所定時間（例えば、５秒）の間隔をあけて順番に行う。判定部２２０は、発光素子１３０が発光している状態での受光素子１４０の受光強度を取得することによって、３つの発光強度ＬＶ１、ＬＶ２、ＬＶ３のそれぞれに関する判定を行う。図中では、判定結果が「○」と「×」とのいずれかで表されている。「○」は、閾値条件の成立を示し、「×」は閾値条件の不成立を示している。図７の例では、１７時の測定では、３つの判定結果の全てが「○」であるので、水質は「良好」である。１８時の測定では、第３レベルＬＶ３の判定のみが「○」であるので、水質は「要注意」である。１９時の測定では、第２レベルＬＶ２と第３レベルＬＶ３との判定のみが「○」であるので、水質は「普通」である。
【００５８】
データロガー４００（図６）のデータ処理部４１０は、判定結果と日時（判定結果の履歴）を記録装置４２０に記録する。本実施例では、図７に示すように、水質情報の１回の取得で得られる３つの判定の間で、日時は１０秒ずつ異なっている。また、データ処理部４１０は、ユーザの指示に従って、記録された判定結果（ユーザに指示された日時の判定結果）を表示装置４３０に表示する。表示の形式としては、任意の形式を採用可能である。例えば、図７のような、判定結果のタイミングチャートを採用してもよい。こうすれば、ユーザは、表示されたチャートを観察することによって、所望の日時での水質を簡便に確認することができる。
【００５９】
以上のように、本実施例の水質センサー３００は、以下の種々の利点を有する。水質センサー３００が、３段階の発光強度を利用して得られる３つの判定結果に基づいて水質情報を出力するので、高い分解能で測定を行う場合（例えば、１２ビットのＡＤコンバーターを利用する場合）と比べて、簡便に水質情報を取得できる。また、本実施例では、高い分解能で水質を評価する代わりに、４段階で水質の概略を評価することとしている。従って、発光制御部２１０と、判定部２２０と、発光素子１３０と、受光素子１４０とに対する精度（性能）の要求を、高い分解能で水質を評価する場合と比べて、緩和することができる。その結果、水質センサー３００の構成を簡素化することができ、簡便に水質情報を取得することができる。また、水質センサー３００のコストを低減できる。また、図４に示すように、報知部２７０（図２）が、３つの判定結果のそれぞれを二値（点灯／消灯）で表示するので、報知部２７０の構成を簡素化することができる。ユーザは、３つの判定結果から、４段階で表された水質を容易に確認することができる。また、図２、図６に示すように、二値情報出力部２４０が、判定結果を表す二値情報を出力するので、二値情報を処理可能な簡素な処理装置（例えば、図６のデータロガー４００）を利用して、水質情報を処理することができる。このように、水質センサー３００やデータロガー４００の構成を簡素化できるので、コストの低減が可能である。これらの結果、水処理槽８００に水質センサー３００を常設して、長期間に亘って水質をモニターし続けることを、安価に行うことができる。
【００６０】
Ｂ．第２実施例：
図８は、排水処理装置９００（図５、図６）を利用した広域水質管理システム１１００の説明図である。広域水質管理システム１１００は、互いに離れた３つの場所Ｌ１、Ｌ２、Ｌ３に設置された３つの排水処理装置９００と、それらの排水処理装置９００の水質情報を管理する管理装置１０００と、を有している。図８の実施例では、各排水処理装置９００に、通信端末５００が追加されている。以下、制御部２００とデータロガー４００と通信端末５００との全体を、「制御端末６００」とも呼ぶ。
【００６１】
管理装置１０００は、データ処理部１０１０と、記録装置１０２０と、表示装置１０３０と、操作パネル１０４０と、通信端末１０５０と、を有している。データ処理部１０１０は、種々のデータ処理を行うコンピュータである。記録装置１０２０は、データを記録する不揮発性の記録装置である（本実施例では、ハードディスクドライブ）。表示装置１０３０は、情報を表示する装置である（本実施例では、液晶ディスプレイ）。操作パネル１０４０は、ユーザが操作するための図示しない操作手段（例えば、ボタン）を有している。
【００６２】
各排水処理装置９００の通信端末５００と、管理装置１０００の通信端末１０５０とは、通信ネットワークを介して通信可能である。通信ネットワークとしては、無線通信と有線通信との少なくとも一方を用いた通信経路を採用可能である。通信端末５００、１０５０としては、種々の通信装置を採用可能である。例えば、携帯電話を採用してもよい。各排水処理装置９００の通信端末５００は、水質情報と、その水質情報に対応付けられた日時とを表すデータをデータロガー４００から取得し、取得したデータを、管理装置１０００の通信端末１０５０に送信する。送信される水質情報は、３組の端子対４６１〜４６３（図６）に入力された接点状態（接点のオープン／クローズ）を表すデータであり、本実施例では、３つの二値データ（３ビット）で表されている。管理装置１０００のデータ処理部１０１０は、受信した水質情報と日時（水質情報の履歴）を、記録装置１０２０に記録する。そして、ユーザの指示に従って、データ処理部１０１０は、記録装置１０２０に記録されたデータを、表示装置１０３０に表示する。表示の形式としては、任意の形式を採用可能である。例えば、図４のように３つの判定結果を表示してもよく、図７のような、判定結果のタイミングチャートを表示してもよい。
【００６３】
第１実施例で説明したように、水質センサー３００とデータロガー４００との構成を簡素化することができるので、コストの低減が可能である。その結果、複数の水処理槽８００に水質センサー３００を常設して、長期間に亘って水質をモニターし続けることを、安価に行うことができる。また、１つの水質センサー３００から得られる水質情報が３つの二値データ（３ビット）で表されているので、高い分解能（例えば、１２ビット）で水質情報を表す場合と比べて、データ量を大幅に低減できる。その結果、複数の排水処理装置９００からの水質情報を管理装置１０００が処理する場合に、その管理装置１０００に要求される処理能力（例えば、記録装置１０２０の容量や、データ処理部１０１０の処理速度）を高くせずに済む。これにより、広域水質管理システム１１００のコストを低減できる。また、図３、図４、図７に示すように、本実施例では、水質情報が３つの二値データで表されているので、水質情報がアナログデータや高分解能のデジタルデータで表されている場合と比べて、ユーザ（管理者）は、経験やスキルに関わらずに、３つの判定結果(二値データ)から容易に排水処理装置９００の水質（処理状態）の良否（異常の有無）を判断できる。従って、複数の排水処理装置９００からの水質情報が管理装置１０００に集められた場合であっても、管理者は、経験やスキルに関わらずに、管理装置１０００を利用して、それらの排水処理装置９００の水質（処理状態の良否）を容易に確認することができる。その結果、それらの排水処理装置９００の管理のための管理者の労力の増大を抑制できる。
【００６４】
また、排水処理装置９００の処理状態の良否を、一時的に得られた水質情報ではなく、水質情報の履歴を総合して判断すれば、水質の一時的な変動の影響を抑えた、より適切な判断が可能である。ところが、従来は、時々刻々と変動する水質情報から異常の有無を判断する場合には、水質情報の種々の変動パターンに精通した管理者の経験に頼って判断しているのが実情であった（種々の変動パターンは、排水処理装置９００を種々の条件下で利用することによって得られる）。特に、水質情報が、アナログデータや高分解能(例えば、１２ビット)のデジタルデータで表されている場合には、経験を十分に積んでいない管理者にとって、水質情報の履歴から異常の有無を判断することは困難であった。一方、本実施例によれば、ある時点での水質情報が３つの二値データで表されているので、水質情報の履歴に基づく処理状態の良否の判断基準として、簡素な基準を採用することができる。例えば、処理状態に異常があると判断するための基準として、「１日間に得られた水質情報のうちの５０％以上の水質情報が「悪い」を示している」を採用してもよい。このように、水質情報が複数（本実施例では３つ）の二値データで表されている場合には、簡素な判断基準を採用できるので、管理者は、経験やスキルに関わらずに、同じ品質で容易に判断を行うことができる。その結果、多数の排水処理装置９００からの水質情報が管理装置１０００に集められた場合であっても、管理者は、容易にそれらの排水処理装置９００の管理を行うことができる。
【００６５】
判断基準としては、水質情報の履歴を総合して判断結果を導く種々の基準を採用可能である。例えば、「１日間に得られた水質情報のうちの、「普通」の水質情報と「良好」の水質情報とを合わせた水質情報の割合が、６０％以上である」を、異常が無いことの基準として採用してもよい。このように、所定期間内（例えば、１日や２日や１週間）に得られた水質情報のうちの所定の水質を表す水質情報の割合と、所定の閾値との比較結果から、異常の有無を判断してよい。
【００６６】
なお、排水処理装置９００の総数は３に限らず、２や４以上であってもよい。特に、本実施例では、水質情報の取得と利用を簡便に行うことが可能であるので、１００を超える排水処理装置９００の管理を行ってもよい。なお、本実施例において、記録装置１０２０に対する水質情報の履歴の記録を省略してもよい。また、ユーザに対する水質情報の表示（報知）を省略してもよい。
【００６７】
Ｃ．第３実施例：
図９は、水質センサーの別の実施例を示す説明図である。図１、図２に示す水質センサー３００との差異は、３つある。第１の差異は、３つの受光素子１４０ａ、１４０ｂ、１４０ｃが、第２壁１２４に設けられている点である。これらの受光素子１４０ａ、１４０ｂ、１４０ｃの間では、発光素子１３０までの距離が互いに異なっている。３つの受光素子１４０ａ、１４０ｂ、１４０ｃのなかでは、第１受光素子１４０ａが発光素子１３０に最も近く、第３受光素子１４０ｃが発光素子１３０から最も遠い。第２の差異は、判定部２２０ａが、３つの受光素子１４０ａ、１４０ｂ、１４０ｃのそれぞれの受光強度ＲＩａ、ＲＩｂ、ＲＩｃを、共通の閾値と比較することによって、３つの判定を行う点である（共通の閾値は、予め、３つの受光素子１４０ａ、１４０ｂ、１４０ｃのそれぞれに対応付けられている、ということもできる）。判定部２２０ａの構成としては、３つの受光強度を利用した３つの判定を行う種々の構成を採用可能である。例えば、判定部２２０ａが、１つのコンパレーター回路を３つの受光素子１４０ａ、１４０ｂ、１４０ｃに共通に利用してもよい。この代わりに、判定部２２０ａが、３つの受光素子１４０ａ、１４０ｂ、１４０ｃのための３つのコンパレーター回路を有してもよい。こうすれば、３つの判定を並行して行うことができる。第３の差異は、発光制御部２１０ａが、発光素子１３０の発光強度ＥＩを変更せずに所定値に維持する点である。本実施例の水質センサー３００ａの他の要素の構成は、図１、図２に示す水質センサー３００の同じ符号の要素の構成と、同様である。例えば、二値情報出力部２４０は、３つの判定結果を３つの接点出力によって出力し、報知部２７０は、３つの判定結果を、図４と同様に出力する。なお、後述する各実施例では、先の実施例の要素と同じ要素に同じ符号を付して、その詳細な説明を省略している。
【００６８】
図１０は、図３と同様の、３つの判定結果と水質との関係を示す表である。判定結果を表すマーク（「○」と「×」）の意味は、図３の同じマークの意味と同じである。本実施例では、同じ発光強度ＥＩが、３つの判定に共通に利用される。従って、発光素子１３０から受光素子までの距離が遠いほど、受光強度は小さくなる（ＲＩａ＞ＲＩｂ＞ＲＩｃ）。そして、水質が良いほど、「○」の判定結果を得ることが可能な最短距離が長くなる。従って、図３の実施例と同様に、３つの判定結果は、４段階で水質を表している。具体的には、「○」の判定結果の総数（０〜３の４段階）が多いほど、水質は良い。また、「○」の判定結果が得られた受光素子のうちの発光素子１３０から最も遠い受光素子（図１０では、２重線で表されている）が、４段階で水質を表している、ということもできる。また、「×」の判定結果が得られた受光素子のうちの発光素子１３０に最も近い受光素子（図１０では、３重線で表されている）が、４段階で水質を表している、ということもできる。なお、３つの距離は、それぞれ、図３の実施例の発光強度ＬＶ１、ＬＶ２、ＬＶ３と同様に、予め実験的に決定すればよい。
【００６９】
図１１は、水質情報の取得を示すタイミングチャートである。このチャートは、図６に示す排水処理装置９００において、水質センサー３００の代わりに水質センサー３００ａ（図９）を適用した場合のチャートを示している。図１１の実施例では、水質センサー３００ａは、１時間毎に水質情報を取得している。１回の取得においては、発光制御部２１０ａは、予め決められた発光強度ＥＩで発光素子１３０を所定時間（例えば、５秒間）発光させる。判定部２２０ａは、発光素子１３０が発光している状態で受光素子１４０ａ、１４０ｂ、１４０ｃの受光強度ＲＩａ、ＲＩｂ、ＲＩｃをそれぞれ取得して、３つの受光強度ＲＩａ、ＲＩｂ、ＲＩｃに関する３つの判定を行う。図中では、判定結果が、図７と同様の「○」と「×」とのいずれかで表されている。図１１の例では、水質が、図７の例と同様に変化している。データロガー４００（図６）は、上述の各実施例と同様に、判定結果と日時とを記録し、そして、ユーザの指示に従って、判定結果を表示する。これにより、ユーザは、所望の日時での水質を簡便に確認することができる。なお、本実施例では、水質センサー３００ａが３つの受光素子１４０ａ、１４０ｂ、１４０ｃを有しているので、３つの判定を並行して行うことができる。こうすれば、判定に要する時間を短縮できる。
【００７０】
以上のように、本実施例の水質センサー３００ａも、上述の水質センサー３００と同様に３つの判定結果に基づいて水質情報を出力する。従って、この水質センサー３００ａも、上述の水質センサー３００と同様の種々の利点を有している。また、発光強度を変更せずに済むので、発光制御部２１０ａの構成を簡素化することもできる。また、水質センサー３００ａを、図８に示す広域水質管理システム１１００に適用してもよい。この場合も、水質センサー３００を利用する場合と同様の利点を得ることができる。
【００７１】
Ｄ．第４実施例：
図１２は、水質センサーの別の実施例を示す説明図である。図９に示す水質センサー３００ａとの差異は、２つある。第１の差異は、３つの発光素子１３０ａ、１３０ｂ、１３０ｃが、第１壁１２２に設けられている点である。第１発光素子１３０ａは、第１受光素子１４０ａと対向する位置に配置され（第１ペアＰａ）、第２発光素子１３０ｂは、第２受光素子１４０ｂと対向する位置に配置され（第２ペアＰｂ）、第３発光素子１３０ｃは、第３受光素子１４０ｃと対向する位置に配置されている（第３ペアＰｃ）。これにより、第１受光素子１４０ａは、主に、第１発光素子１３０ａからの光を受け、第２受光素子１４０ｂは、主に、第２発光素子１３０ｂからの光を受け、第３受光素子１４０ｃは、主に、第３発光素子１３０ｃからの光を受ける。本実施例では、発光素子と受光素子との間の距離は、３組のペアＰａ、Ｐｂ、Ｐｃのそれぞれにおいて、同じである。第２の差異は、発光制御部２１０ｂが、３つの発光素子１３０ａ、１３０ｂ、１３０ｃのそれぞれの発光強度ＥＩａ、ＥＩｂ、ＥＩｃを、互いに異なる強度に設定する点である（本実施例では、第１発光強度ＥＩａ＞第２発光強度ＥＩｂ＞第３発光強度ＥＩｃ）。判定部２２０ａは、図９の実施例と同様に、３つの受光素子１４０ａ、１４０ｂ、１４０ｃのそれぞれの受光強度ＲＩａ、ＲＩｂ、ＲＩｃを、共通の閾値と比較することによって、３つの判定を行う（共通の閾値は、３つの受光素子１４０ａ、１４０ｂ、１４０ｃのそれぞれに、予め対応付けられている、ということができる）。本実施例の水質センサー３００ｂの他の要素の構成は、図９に示す水質センサー３００ａの同じ符号の要素の構成と、同様である。
【００７２】
本実施例では、発光素子と受光素子との間の距離と、閾値とのそれぞれが、３組のペアＰａ、Ｐｂ、Ｐｃに共通である。従って、閾値条件が成立するという判定結果を得ることが可能な最小発光強度が小さいほど、水質が良いということができる。従って、本実施例の水質センサー３００ｂでは、図３の表と同様に、水質を評価することができる。このように、本実施例の水質センサー３００ｂは、上述の水質センサー３００、３００ａと同様に、３つの判定結果に基づいて水質情報を出力する。従って、この水質センサー３００ｂも、上述の水質センサー３００、３００ａと同様の種々の利点を有している。また、本実施例では、水質センサー３００ｂが３組のペアＰａ、Ｐｂ、Ｐｃを有しているので、３つの判定を並行して行うことができる。こうすれば、３つの判定を１つずつ順番に行う場合と比べて、判定に要する時間を短縮できる。また、本実施例においても、４段階で水質の概略を評価することとしているので、水質センサー３００ｂの構成を簡素化できる。また、水質センサー３００ｂを、図８に示す広域水質管理システム１１００に適用してもよい。この場合も、水質センサー３００を利用する場合と同様の利点を得ることができる。なお、３つの発光強度ＥＩａ、ＥＩｂ、ＥＩｃは、それぞれ、図３の実施例の発光強度ＬＶ１、ＬＶ２、ＬＶ３と同様に、予め実験的に決定すればよい。
【００７３】
Ｅ．第５実施例：
図１３は、水質センサーの別の実施例を示す説明図である。図１２に示す水質センサー３００ｂとの差異は、２つある。第１の差異は、発光制御部２１０ｃが、３つの発光素子１３０ａ、１３０ｂ、１３０ｃのそれぞれの発光強度ＥＩａ、ＥＩｂ、ＥＩｃを、同じ値に設定する点である。第２の差異は、判定部２２０ｃが、閾値設定部２２２ｃを有している点である。閾値設定部２２２ｃは、３つの受光強度ＲＩａ、ＲＩｂ、ＲＩｃにそれぞれ対応付けられた３つの閾値Ｔｈａ、Ｔｈｂ、Ｔｈｃを、互いに異なる値に設定する（本実施例では、第１閾値Ｔｈａ＜第２閾値Ｔｈｂ＜第３閾値Ｔｈｃ）。判定部２２０ｃは、第１受光強度ＲＩａを第１閾値Ｔｈａと比較し、第２受光強度ＲＩｂを第２閾値Ｔｈｂと比較し、第３受光強度ＲＩｃを第３閾値Ｔｈｃと比較することによって、３つの判定を行う。水質センサー３００ｃの他の要素の構成は、図１２に示す同じ符号の要素の構成と、同じである。なお、閾値設定部２２２ｃの構成としては、判定部２２０ｃによって利用される閾値を設定する種々の構成を採用可能である。例えば、コンパレーター回路に利用される基準電圧（閾値に相当する）を出力する回路を採用してもよい。
【００７４】
図１４は、図１０と同様の、３つの判定結果と水質との関係を示す表である。判定結果を表すマーク（「○」と「×」）の意味は、図１０の同じマークの意味と同じである。本実施例では、発光素子と受光素子との間の距離と、発光強度とのそれぞれが、３組のペアＰａ、Ｐｂ、Ｐｃに共通である。これにより、３つの受光強度ＲＩａ、ＲＩｂ、ＲＩｃは、ほぼ同じ値となる。従って、「○」の判定結果を得ることが可能な最大閾値が大きいほど、水質が良いということができる。その結果、図１０の実施例と同様に、３つの判定結果は、４段階で水質を表している。具体的には、「○」の判定結果の総数（０〜３の４段階）が多いほど、水質は良い。また、「○」の判定結果が得られた閾値のうちの最も高い閾値（図１４では、２重線で表されている）が、４段階で水質を表している、ということもできる。また、「×」の判定結果が得られた閾値のうちの最も低い閾値（図１４では、３重線で表されている）が、４段階で水質を表している、ということもできる。なお、３つの閾値Ｔｈａ、Ｔｈｂ、Ｔｈｃは、それぞれ、図３の実施例の発光強度ＬＶ１、ＬＶ２、ＬＶ３と同様に、予め実験的に決定すればよい。
【００７５】
以上のように、本実施例の水質センサー３００ｃも、上述の水質センサー３００と同様に３つの判定結果に基づいて水質情報を出力する。従って、この水質センサー３００ｃも、上述の水質センサー３００と同様の種々の利点を有している。また、本実施例では、水質センサー３００ｃが３組のペアＰａ、Ｐｂ、Ｐｃを有しているので、３つの判定を並行して行うことができる。こうすれば、３つの判定を１つずつ順番に行う場合と比べて、判定に要する時間を短縮できる。また、水質センサー３００ｃを、図８に示す広域水質管理システム１１００に適用してもよい。この場合も、水質センサー３００を利用する場合と同様の利点を得ることができる。
【００７６】
なお、図１３に示す閾値設定部２２２ｃを、図９に示す水質センサー３００ａに適用してもよい。この場合には、発光素子と受光素子との間の距離が長いほど、閾値を大きくすることが好ましい。こうすれば、閾値条件の成立のために３つの閾値のうちの最小の閾値を必要とする水質（悪い水質）と、３つの閾値のうちの最大の閾値で十分に閾値条件が成立する水質（良い水質）との間の水質の差を大きくすることができる。これにより、３つの判定によってカバーされる水質のレンジを広げることができる。また、図１３に示す閾値設定部２２２ｃを、図９に示す水質センサー３００ａに適用した場合に、発光素子１３０と受光素子との間の距離が、３つの受光素子１４０ａ、１４０ｂ、１４０ｃのそれぞれについて同じであってもよい。この場合も、閾値の異なる３つの判定結果を利用して、水質情報を取得できる。また、図１３に示す閾値設定部２２２ｃを、図２に示す水質センサー３００に適用してもよい。ここで、発光制御部２１０が、発光素子１３０の発光強度ＥＩを変えずに所定値に維持してもよい。この場合も、閾値の異なる３つの判定結果を利用して、水質の概略を評価できる。いずれの場合も、上述の水質センサー３００と同様の種々の利点を得ることができる。
【００７７】
Ｆ．第６実施例：
図１５は、水質センサーの別の実施例を示す説明図である。図１２に示す水質センサー３００ｂとの差異は、２つの受光素子１４０ｂ、１４０ｃが省略されている点である。本実施例では、発光素子１３０ａに加えて、発光素子１３０ｂ、１３０ｃから受光素子１４０ａに入射する光を利用して、３つの判定を行う。具体的には、発光制御部２１０ｂは、図７に示す発光のタイミングチャートと同様に、３つの発光素子１３０ａ、１３０ｂ、１３０ｃを１つずつ順番に発光させる。判定部２２０は、図７に示す判定のタイミングチャートと同様に、発光素子が発光している状態での受光素子１４０ａの受光強度ＲＩａを取得することによって、３つの発光強度ＥＩａ、ＥＩｂ、ＥＩｃのそれぞれに関する判定を行う。判定に利用される所定の閾値は、３つの判定に共通である。水質センサー３００ｄの他の要素の構成は、図１、図２、図１２に示す水質センサー３００、３００ｂの同じ符号の要素の構成と、同様である。
【００７８】
本実施例では、発光強度が強いほど、受光素子１４０ａの受光強度ＲＩａも強いので、水質の評価を、図３の実施例と同様に行うことができる。このように、本実施例の水質センサー３００ｄも、上述の水質センサー３００と同様の種々の利点を有している。また、本実施例では、３つの発光素子１３０ａ、１３０ｂ、１３０ｃのなかでは、第１発光素子１３０ａが受光素子１４０ａに最も近く、第３発光素子１３０ｃが受光素子１４０ａから最も遠い。発光制御部２１０ｂは、発光素子と受光素子１４０ａとの間の距離が長いほど、その発光素子の発光強度が小さくなるように、３つの発光強度ＥＩａ、ＥＩｂ、ＥＩｃを設定する。従って、３つの発光強度ＥＩａ、ＥＩｂ、ＥＩｃに対する受光強度ＲＩａの違いを大きくすることができる。すなわち、閾値条件の成立に３つの発光強度のうちの最大の発光強度ＥＩａを必要とする水質（悪い水質）と、３つの発光強度のうちの最小の発光強度ＥＩｃで十分に閾値条件が成立する水質（良い水質）との間の水質の差を大きくすることができる。これにより、３つの判定によってカバーされる水質のレンジを広げることができる。
【００７９】
なお、本実施例において、３つの発光強度ＥＩａ、ＥＩｂ、ＥＩｃが同じであってもよい。この場合も、図９の実施例と同様に、距離の違いに基づく３つの判定を利用して水質情報を取得できる。また、本実施例において、発光素子と受光素子１４０ａとの間の距離が、３つの発光素子１３０ａ、１３０ｂ、１３０ｃについて同じであってもよい。この場合も、図３の実施例と同様に、発光強度の違いに基づく３つの判定を利用して水質情報を取得できる。
【００８０】
Ｇ．第７実施例：
図１６は、水質センサーの別の実施例を示す説明図である。図１３に示す水質センサー３００ｃとの差異は、２つある。第１の差異は、ペアＰａ、Ｐｂ、Ｐｃ毎に、発光素子と受光素子との間の距離が異なっている点である（本実施例では、第１ペアＰａの距離が最も短く、第３ペアＰｃの距離が最も長い）。第２の差異は、判定部２２０ｅから閾値設定部２２２ｃが省略されている点である。判定部２２０ｅは、図１２の判定部２２０ａと同様に、３つの受光強度ＲＩａ、ＲＩｂ、ＲＩｃに、共通の同じ閾値を利用して、３つの判定を行う。また、発光制御部２１０ｅは、図１３の発光制御部２１０ｃと同様に、３つの発光素子１３０ａ、１３０ｂ、１３０ｃのそれぞれの発光強度ＥＩａ、ＥＩｂ、ＥＩｃを、同じ値に設定する。本実施例の水質センサー３００ｅを利用すれば、図９、図１０の実施例と同様に、水質センサー３００ｅの構成を簡素化でき、そして、距離の違いに基づく３つの判定を利用して簡便に水質情報を取得できる。
【００８１】
なお、本実施例の発光制御部２１０ｅが、図１５の発光制御部２１０ｂと同様に、発光素子と受光素子との間の距離が長いほど発光強度が小さくなるように、各発光強度ＥＩａ、ＥＩｂ、ＥＩｃを設定してもよい。こうすれば、図１５の実施例と同様に、３つの判定によってカバーされる水質のレンジを広げることができる。また、本実施例の判定部２２０ｅが、図１３の実施例のように閾値設定部２２２ｃを有していても良い。この場合には、閾値設定部２２２ｃは、発光素子と受光素子との間の距離が長いほど閾値が大きくなるように、３つの受光強度ＲＩａ、ＲＩｂ、ＲＩｃのための３つの閾値を、それぞれ、設定することが好ましい。こうすれば、３つの判定によってカバーされる水質のレンジを広げることができる。
【００８２】
Ｈ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００８３】
変形例１：
水質情報の取得に利用される複数の判定としては、上述の各実施例で利用された判定に限らず、閾値条件の成立に必要となる水質（最も悪い水質）が互いに異なる種々の判定を採用可能である。また、そのような判定の総数は３に限らず、２でもよく、４以上であってもよい（一般には、Ｎ個（Ｎは２以上の整数）の判定を利用してよい）。ただし、簡便に水質情報の取得や利用を簡便に行うためには、判定の総数が１０以下であることが好ましく、５以下であることが特に好ましい。また、１つの判定を利用して水質情報を取得してもよい。こうすれば、より簡便に水質情報を取得できる。
【００８４】
変形例２：
上述の各実施例において、判定結果を表す二値情報としては、接点出力によって表される情報に限らず、種々の情報を採用可能である。例えば、所定のＨレベル電圧と、所定のＬレベル電圧とで表された二値信号を採用してもよく、また、１ビットのデジタルデータを採用してもよい。
【００８５】
変形例３：
ユーザに対する水質情報の報知の形態としては、図４に示すようなＮ個の判定結果のそれぞれを表示する形態に限らず、Ｎ＋１段階で表された水質を表す情報を報知する任意の形態を採用可能である。例えば、「良好」、「普通」などのＮ＋１段階のうちの１つを表す情報を表示してもよい。また、報知の方法としては、表示に限らず、音や振動を利用してユーザに伝える方法等の種々の方法を採用可能である。
【００８６】
変形例４：
上述の各実施例において、報知部２７０（図２）と、データ処理部４１０（図６）と、データ処理部１０１０（図８）との少なくとも１つが、水質が所定の基準を満たさないことを表す判定結果が得られたことを契機として、そのことをユーザに報知してもよい。例えば、データ処理部４１０は、水質が「悪い」との判定結果が得られたことを契機として、表示装置４３０に、その事実を表示してもよい。こうすれば、ユーザは、表示装置４３０を観察することによって、水処理槽８００の不具合の有無を容易に確認することができる。
【００８７】
変形例５：
発光素子と受光素子とを保持するセンサーユニットの構成としては、上述の各実施例の構成に限らず、種々の構成を採用可能である。例えば、図１に示す実施例において、凹部１２０がセンサーユニット１００の中央部分に設けられていても良い。また、図１２、図１３、図１６に示す実施例において、ペアとペアとの間（例えば、第１ペアＰａと第２ペアＰｂとの間）に遮光板を配置してもよい。また、１ペアずつ順番に発光（判定）を行って、全てのペアの判定結果を取得してもよい。また、放射される光の指向性の高い発光素子を採用してもよい。これらの構成によれば、１つのペアの判定結果に、別のペアの発光素子からの光が影響を与える可能性を低減できる。また、凹部の形状としても、図１の凹部１２０の形状や図１６の凹部１２０ｅの形状に限らず、他の形状を採用してもよい。一般には、センサーユニットの構成としては、測定対象水が導入される空間を挟むように発光素子と受光素子とを配置するような任意の構成を採用可能である。
【００８８】
変形例６：
水質センサーの構成としては、上記各実施例の構成に限らず、種々の構成を採用可能である。例えば、図２に示す水質センサー３００において、制御部２００の構成の一部あるいは全部が、センサーユニット１００に設けられていても良い。また、図６、図７に示す実施例において、制御部２００の二値情報出力部２４０が、３つの判定結果を取得した後に、同じタイミング（同時刻）で３つの接点出力を更新してもよい。この場合には、データロガー４００は、３つの判定結果を同時刻に記録する。また、制御部２００が、センサーユニット１００からの信号に加えて、他の装置（例えば、ブロワーの警報装置）からの信号を処理してもよい。また、１つの制御部２００に複数のセンサーユニットが接続されてもよい。
【００８９】
変形例７：
上述の各実施例において、水処理槽８００（図５、図６）におけるセンサーユニットの位置は、沈殿槽８１６に限らず、水処理槽８００における任意の位置を採用可能である。例えば、嫌気濾床槽８１２から接触曝気槽８１４へ移流する水の流路にセンサーユニット１００を配置してもよい。
【００９０】
また、水処理槽８００の構成としては、図５に示す構成に限らず、排水の浄化処理を行う種々の構成を採用可能である。例えば、接触曝気槽８１４の代わりに、担体流動生物濾過槽を採用してもよい。また、流量調整槽を水処理槽８００に設けてもよい。また、他の処理方式（例えば、膜分離方式）に従って排水を浄化する水処理槽を採用してもよい。
【００９１】
変形例８：
上記各実施例において、ハードウェアによって実現されていた構成の一部をソフトウェアに置き換えるようにしてもよく、逆に、ソフトウェアによって実現されていた構成の一部あるいは全部をハードウェアに置き換えるようにしてもよい。例えば、図２の水質情報出力部２３０を、所定のプログラムに従って動作するコンピュータを用いて構成してもよい。
【００９２】
また、本発明の機能の一部または全部がソフトウェアで実現される場合には、そのソフトウェア（コンピュータプログラム）は、コンピュータ読み取り可能な記録媒体に格納された形で提供することができる。この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【符号の説明】
【００９３】
１０...測定対象水
１２...ケーブル
１００...センサーユニット
１２０、１２０ｅ...凹部
１２２...第１壁
１２４...第２壁
１３０、１３０ａ、１３０ｂ、１３０ｃ...発光素子
１４０、１４０ａ、１４０ｂ、１４０ｃ...受光素子
２００...制御部
２１０、２１０ａ、２１０ｂ、２１０ｃ、２１０ｅ...発光制御部
２２０、２２０ａ、２２０ｃ、２２０ｅ...判定部
２２２ｃ...閾値設定部
２３０...水質情報出力部
２４０...二値情報出力部
２５１...スイッチ
２６０...端子パネル
２６１、２６２、２６３...端子対
２７０...報知部
２８０...表示パネル
２８１、２８２、２８３...ランプ
２９０...操作パネル
３００、３００ａ、３００ｂ、３００ｃ、３００ｄ、３００ｅ...水質センサー
４００...データロガー
４１０...データ処理部
４２０...記録装置
４３０...表示装置
４４０...操作パネル
４６０...端子パネル
４６１、４６２、４６３...端子対
５００...通信端末
６００...制御端末
８００...水処理槽
８０２...流入口
８０４...流出口
８１０...夾雑物除去槽
８１２...嫌気濾床槽
８１４...接触曝気槽
８１６...沈殿槽
８１６ａ...仕切り板
８１８...消毒槽
８１８ａ...壁
９００...排水処理装置
１０００...管理装置
１０１０...データ処理部
１０２０...記録装置
１０３０...表示装置
１０４０...操作パネル
１０５０...通信端末
１１００...広域水質管理システム
Ｐａ、Ｐｂ、Ｐｃ...ペア
【図１】
0005599169.tif 000002
【図２】
0005599169.tif 000003
【図３】
0005599169.tif 000004
【図４】
0005599169.tif 000005
【図５】
0005599169.tif 000006
【図６】
0005599169.tif 000007
【図７】
0005599169.tif 000008
【図８】
0005599169.tif 000009
【図９】
0005599169.tif 000010
【図１０】
0005599169.tif 000011
【図１１】
0005599169.tif 000012
【図１２】
0005599169.tif 000013
【図１３】
0005599169.tif 000014
【図１４】
0005599169.tif 000015
【図１５】
0005599169.tif 000016
【図１６】
0005599169.tif 000017